(57)【要約】      （修正有）【課題】再利用可能な結束バンドを提供する。【解決手段】再利用可能な結束バンドは、バンド部材２０及びロック部材１０を有し、該バンド部材２０は、帯状に延伸し、少なくとも一方の面に案内溝２１が凹設され、該案内溝２１に複数の一方向係止歯２３が形成されており、該ロック部材１０は、樹脂により一体成形加工で形成され、幅がバンド部材２０の幅に対応する挿通路１１２と、弾性を備え、該挿通路１１２内に延出する係止ブロックとを有し、前記バンド部材２０を挿貫させるための挿通穴１１と、帯状に延伸し、一端に止め部１３１が形成されると共に、バンド部材２０に重ねた状態における厚さが係止通路１２２の厚さに対応する止めバンド１３とを備え、それによれば、バンド部材２０をロック部材１０に挿貫しても引き出して取り外すことができることから、再利用が可能である。【選択図】図２
0003206198.tif 000002
【実用新案登録請求の範囲】
【請求項１】
帯状に延伸し、少なくとも一方の面に案内溝が凹設され、該案内溝に複数の一方向係止歯が形成されているバンド部材と、
樹脂により一体成形加工で形成され、幅がバンド部材の幅に対応する挿通路と、弾性を備え、該挿通路内に延出する係止ブロックとを有し、前記バンド部材を挿貫させるための挿通穴と、帯状に延伸し、一端に止め部が形成されると共に、バンド部材に重ねた状態における厚さが係止通路の厚さに対応する止めバンドとを備えた、ロック部材と、を有することを特徴とする再利用可能な結束バンド。
【請求項２】
前記挿通路における係止ブロックに対向する面に案内凹部が凹設され、
前記止めバンドの少なくとも一方の面に、前記案内凹部に対応する案内凸部が凸設されていることを特徴とする請求項１に記載の再利用可能な結束バンド。
【請求項３】
前記バンド部材の一端がロック部材と一体に連結され、他端に止め部が設けられていることを特徴とする請求項１または２に記載の再利用可能な結束バンド。
【請求項４】
前記ロック部材には、さらに前記挿通穴と長手方向に配列するように形成され、係止通路と、弾性を有すると共に前記係止通路に延出する係止爪とを有し、前記係止通路の幅及び厚さがバンド部材の幅及び厚さに対応する係止穴が設けられていることを特徴とする請求項１に記載の再利用可能な結束バンド。
【請求項５】
前記バンド部材は、ロック部材と連結されていない個別な部材であることを特徴とする請求項４に記載の再利用可能な結束バンド。
【請求項６】
前記挿通路における係止ブロックに対向する面に案内凹部が凹設され、
前記止めバンドの少なくとも一方の面に、前記案内凹部に対応する案内凸部が凸設されていることを特徴とする請求項５に記載の再利用可能な結束バンド。
【請求項７】
前記バンド部材の両面にそれぞれ案内溝が長手方向に沿って凹設され、該案内溝に、バンド部材の長手方向に沿って排列する複数の一方向係止歯が設けられていることを特徴とする請求項５に記載の再利用可能な結束バンド。
【請求項８】
前記挿通路における係止ブロックに対向する面に案内凹部が凹設され、
前記止めバンドの両面に、それぞれ案内凹部に対応する案内凸部が凸設されていることを特徴とする請求項７に記載の再利用可能な結束バンド。
【請求項９】
前記バンド部材の両面にある一方向係止歯は、その係止方向が反対するように設けられていることを特徴とする請求項８に記載の再利用可能な結束バンド。
【請求項１０】
前記バンド部材の両端にそれぞれテール部が設けられ、該各テール部に矢印が設けられていることを特徴とする請求項５乃至９の何れか１項に記載の再利用可能な結束バンド。
【考案の詳細な説明】
【技術分野】
【０００１】
本考案は、ケーブルなどを束ねたり、物を固定したりするための結束バンドに関する。
【背景技術】
【０００２】
結束バンドは、緩め止め機能を備え、ケーブルなどを束ねたり、物を固定したりするために使用されるものであり、ケーブルタイや、配線バンド、結束タイ、結束帯と呼ばれることもある。従来の結束バンドは、例えば、台湾の実用新案第Ｍ３９７９４９号の「結束バンドの改良構造」及び中国の特許第２００４１０１００６２１号の「高機能の結束バンド」などに開示されているように、バンド部が一方向のみへロック部の挿入口に挿貫され、挿入口にある係止ブロックがバンド部の係止歯に係合され、ケーブルなどをしっかりと束ねることができ、また、バンド部を一方向に引っ張ることしかできず、逆方向より抜き出すことができないように構成された。
【考案の概要】
【考案が解決しようとする課題】
【０００３】
既存の結束バンドは、バンド部とロック部が一体に形成されると共に、バンド部が一方向のみへロック部に挿貫して係止歯に係合されることから、一度使えば再利用することが不能で、使い捨てである。また、バンド部がロック部に挿貫して係止歯に係合されれば、逆方向より抜き出すことができず、結束バンドを調整しようとした場合には、その結束バンドを、はさみやカッターなどを使って切断して新たな結束バンドを使用するしかない。このように、取り外しがきかず、また、切断するために道具を使用しなければならないため、使い勝手が悪い。
【０００４】
さらに、従来の結束バンドは、バンド部とロック部が一体に形成され、バンド部が所定の長さであるため、大きなものに使用することができないと共に、小さいものに使用する場合、余ったバンド部を切り捨てる必要があることから、材料の無駄となる。
【課題を解決するための手段】
【０００５】
本考案の再利用可能な結束バンドは、
帯状に延伸し、少なくとも一方の面に案内溝が凹設され、該案内溝に複数の一方向係止歯が形成されているバンド部材と、
樹脂により一体成形加工で形成され、幅がバンド部材の幅に対応する挿通路と、弾性を備え、該挿通路内に延出する係止ブロックとを有し、前記バンド部材を挿貫させるための挿通穴と、帯状に延伸し、一端に止め部が形成されると共に、バンド部材に重ねた状態における厚さが係止通路の厚さに対応する止めバンドとを備えた、ロック部材と、を有するものである。
【０００６】
かかる再利用可能な結束バンドにおいて、前記挿通路における係止ブロックに対向する面に案内凹部が凹設され、前記止めバンドの少なくとも一方の面に、前記案内凹部に対応する案内凸部が凸設されていることが好ましい。
【０００７】
かかる再利用可能な結束バンドにおいて、前記バンド部材の一端がロック部材と一体に連結され、他端に止め部が設けられていることが好ましい。
【０００８】
かかる再利用可能な結束バンドにおいて、前記ロック部材には、さらに前記挿通穴と長手方向に配列するように形成され、係止通路と、弾性を有すると共に前記係止通路に延出する係止爪とを有し、前記係止通路の幅及び厚さがバンド部材の幅及び厚さに対応する係止穴が設けられていることが好ましい。
【０００９】
かかる再利用可能な結束バンドにおいて、前記バンド部材は、ロック部材と連結されていない個別な部材であることが好ましい。
【００１０】
かかる再利用可能な結束バンドにおいて、前記挿通路における係止ブロックに対向する面に案内凹部が凹設され、前記止めバンドの少なくとも一方の面に、前記案内凹部に対応する案内凸部が凸設されていることが好ましい。
【００１１】
かかる再利用可能な結束バンドにおいて、前記バンド部材の両面にそれぞれ案内溝が長手方向に沿って凹設され、該案内溝に、バンド部材の長手方向に沿って排列する複数の一方向係止歯が設けられていることが好ましい。
【００１２】
かかる再利用可能な結束バンドにおいて、前記挿通路における係止ブロックに対向する面に案内凹部が凹設され、前記止めバンドの両面に、それぞれ案内凹部に対応する案内凸部が凸設されていることが好ましい。
【００１３】
かかる再利用可能な結束バンドにおいて、前記バンド部材の両面にある一方向係止歯は、その係止方向が反対するように設けられていることが好ましい。
【００１４】
かかる再利用可能な結束バンドにおいて、前記バンド部材の両端にそれぞれテール部が設けられ、該各テール部に矢印が設けられていることが好ましい。
【考案の効果】
【００１５】
本考案の再利用可能な結束バンドには、以下に示すようなメリットを有する。
１.  本考案の結束バンドは、挿通路及び止めバンドが設けられているため、挿通穴の係止ブロックをバンド部材の一方向係止歯に係止させることを自在にコントロールできる。結束バンドを調整する際に、工具を必要とせず、止めバンドを挿通路から引き出せば、簡単にバンド部材をロック部材から引き出して取り外すことができることから、再利用が可能であり、資源の無駄使いを防止できると共に、結束バンドの調整が便利である。
２.  バンド部材をロック部材と一体に連結されない個別な部材とし、ロック部材に挿通穴１１と係止穴とを形成することにより、使用者がバンド部材の長さを必要に応じて自由に調整できると共に、ロック部材によってバンド部材の両端を係合できるので、従来の結束バンドにおける所定の寸法のものしか使えないという問題が解決され、実用性が向上する。
３.  ロック部材の挿通路に案内凹部が凹設されると共に、止めバンドに案内凸部が設けられるによって、止めバンドをスムーズに挿通路に挿し込んだり引き出したりすることができる。
４.  バンド部材のテール部に矢印が設けられているので、バンド部材を正確な方向から挿通穴または係止穴に挿入することができる。
【図面の簡単な説明】
【００１６】
【図１】本考案の第一実施例の斜視図である。
【図２】本考案の第一実施例の部分分解斜視図である。
【図３】本考案の第一実施例のロック部材の断面図である。
【図４】本考案の第一実施例において、バンド部材がロック部材に挿貫された状態を示す側面視断面図である。
【図５】図４のＡ-Ａ線の断面図である。
【図６】本考案の第一実施例の止めバンドが異なる方向から挿通路に挿し込まれた状態を示す側面視断面図である。
【図７】本考案の第一実施例において、ものを束ねる状態を示す説明図である。
【図８】本考案の第二実施例の斜視図である。
【図９】本考案の第二実施例において、バンド部材がロック部材に挿貫された状態を示す側面視断面図である。
【考案を実施するための形態】
【００１７】
図１乃至図６に示すように、本考案に係る再利用可能な結束バンドは、少なくとも１つのロック部材１０及びバンド部材２０を有する。
【００１８】
図２乃至図４に示すように、前記ロック部材１０は、樹脂により一体成形加工で形成され、バンド部材２０を挿貫させるための挿通穴１１と、挿通穴１１と長手方向において隣接しバンド部材２０を挿貫させるための挿通穴係止穴１２と、止めバンド１３とを有する。前記挿通穴１１は、弾性を有する係止ブロック１１１、及び該係止ブロック１１１と対応するようにバンド部材２０を挿貫させるための挿通路１１２を備え、該係止ブロック１１１の構成は既存の結束バンドと同一であり、複数の一方向のみ係合可能で、挿通路１１２内に延出する係止歯を有する。また、該挿通路１１２において、幅がバンド部材２０の幅に対応し、厚さ（高さ）がバンド部材２０の厚さ（高さ）よりも厚く（高く）、該挿通路１１２における係止ブロック１１１に対向する面に、挿通路１１２の幅よりも狭い案内凹部１１３が凹設されている。
【００１９】
前記係止穴１２の構成は、既存の結束バンドと同一であり、弾性を有する係止ブロック１２１、及びバンド部材２０を挿貫させると共に、係止ブロック１２１に対応する係止通路１２２が形成され、該係止ブロック１２１は、係止通路１２２内に延出する複数の一方向のみ係合可能な係止歯を有し、また、該係止通路１２２の幅及び厚さ（高さ）がバンド部材２０の幅及び厚さ（高さ）に対応している。
前記止めバンド１３は、帯状に延伸し、その一端がロック部材１０に連結され、他端に止め部１３１が形成され、また、該止めバンド１３の幅がバンド部材２０の幅に対応し、該止めバンド１３がバンド部材２０に重ねた状態における厚さ（高さ）が、係止通路１２２の厚さ（高さ）に対応する。そして、図４及び図５に示すように、該止め部１３１は、幅が先端へいくに連れ狭くなり、厚さ（高さ）も先端へいくに連れ薄くなる。このような構成により、止めバンド１３をスムーズに挿通路１１２に挿入することができる。また、該止めバンド１３の両面にそれぞれ案内凹部１１３に対応する案内凸部１３２が凸設されている。
【００２０】
図１、図２、図４、図５に示すように、前記バンド部材２０は、樹脂により一体成形で形成された細長いバンドであり、ループ状に巻いて束ねることもできれば、適当な長さを有する帯状とすることもできる。
図面に示した第一実施例において、前記バンド部材２０は、適当な長さを有する帯状とされ、その両面にそれぞれ幅が係止ブロック１１１、１２１の幅よりも広い案内溝２１、２２が長手方向に沿って凹設され、該案内溝２１、２２に、バンド部材２０の長手方向に沿って配列するように、係止方向と反対する複数の一方向係止歯２３、２４が設けられている。該バンド部材２０の両端に、幅が先端にいくに連れ狭くなると共に、厚さ（高さ）も先端にいくに連れ薄くなり、バンド部材２０をスムーズに挿通路１１２または係止通路１２２に挿入するためのテール部２５が形成されている。そして、該各テール部２５に矢印２５１が設けられることにより、バンド部材２０を正確な方向から挿通路１１２または係止通路１２２に挿入することができる。
【００２１】
図２、図４、図５に示すように、本考案の第一実施例において、前記バンド部材２０がケーブルなどのサイズに応じて適当な長さをロック部材１０の挿通路１１２に挿入されると共に、止めバンド１３が止め部１３１を介して挿通路１１２に挿し込まれると、挿通穴１１の係止ブロック１１１がバンド部材２０の一方向係止歯２４に係止されて、一方向のみの制限状態になる。そして、そのバンド部材２０がケーブルなどを束ねてテール部２５をロック部材１０の係止通路１２２に挿入されて、係止穴１２の係止ブロック１２１がバンド部材２０の一方向係止歯２３に係止されると、一方向のみの制限状態になり、図７に示すように、ケーブルなどをしっかりと束ねることができる。
なお、バンド部材２０の挿通路１１２に挿入した部分が長すぎる場合には、挿入していない部分を引いて適切に調整することができるため、結束バンドの無駄を防止できる。一方、バンド部材２０の挿通路１１２に挿入した部分が短すぎる場合には、止めバンド１３を挿通路１１２から引き出してからバンド部材２０をさらに挿通路１１２に挿入して適切な長さに調整することができ、その後、止めバンド１３をもう一度挿通路１１２に挿し込むだけで調整が完了するので、長さの調整が非常に簡単である。
【００２２】
本考案の結束バンドは、挿通路１１２及び止めバンド１３を有するため、挿通穴１１の係止ブロック１１１をバンド部材２０の一方向係止歯２４に係止させることを自在にコントロールできる。
結束バンドを取り外す時は、工具を必要とせず、止めバンド１３を挿通路１１２から引き出せば、バンド部材２０を簡単にロック部材１０から引き出して取り外すことができるので、再利用することが可能で、既存の結束バンドに存在していた再利用不能な問題を解決できる。
また、図２及び図５に示すように、本考案の結束バンドは止めバンド１３の両側面に、挿通穴１１の案内凹部１１３及びバンド部材２０の案内溝２１、２２に対応する案内凸部１３２が設けられていることから、止めバンド１３を正確かつスムーズに挿通路１１２に挿し込むことができると共に、止めバンド１３が挿通路１１２においてバンド部材２０を押し付ける効果もある。さらに、図４及び図６に示すように、止めバンド１３を自在に異なる方向から挿通路１１２に挿し込むことができるので、実用性及び利便性が高い。
【００２３】
また、図１及び図４に示すように、本考案の第一実施例におけるバンド部材２０は、個別な部材であることから、使用者がケーブルなどに応じる適当な長さにすることが可能であるので、従来の結束バンドにおける所定の寸法のものしか使えないという問題を解決できる。
【００２４】
また、図８及び図９に示すように、本考案の第二実施例の結束バンドは、樹脂により一体成形で形成され、バンド部材３０を挿貫させるための挿通穴１１と止めバンド１３とを有するロック部材１０Ａ、及びバンド部材３０を備え、該挿通穴１１及び止めバンド１３の構造が第一実施例と同一であるため、詳細な説明を省略する。該バンド部材３０は、一端がロック部材１０Ａと一体に連結され、他端に止め部３３が形成されている。そして、その一面に案内溝３１が長手方向に沿って形成され、該案内溝３１に複数の一方向係止歯３２が長手方向に沿って設けられ、該止め部３３に矢印３３１が形成されている。
【００２５】
本考案の第二実施例において、バンド部材３０がケーブルなどを束ねて止め部３３からロック部材１０Ａの挿通路１１２に挿入されると共に、止めバンド１３も挿通路１１２に挿し込まれる。この時、挿通穴１１の係止ブロック１１１がバンド部材３０の一方向係止歯３２に係止され、一方向のみの制限状態となり、ケーブルなどの束ねる効果に優れる。一方、結束バンドを取り外す時は、工具を必要とせず、止めバンド１３を挿通路１１２から引き出せば、バンド部材３０を簡単にロック部材１０Ａから引き出して取り外すことができるので、再利用することができる。
【符号の説明】
【００２６】
１０、１０Ａ        ロック部材
１１                挿通穴
１１１、１２１      係止ブロック
１１２              挿通路
１１３              案内凹部
１２                係止穴
１２２              係止通路
１３、３３          止めバンド
１３１              止め部
１３２              案内凸部
２０、３０          バンド部材
２１、２２、３１    案内溝
２３、２４、３２    一方向係止歯
２５                テール部
２５１、３３１      矢印
【図１】
0003206198.tif 000003
【図２】
0003206198.tif 000004
【図３】
0003206198.tif 000005
【図４】
0003206198.tif 000006
【図５】
0003206198.tif 000007
【図６】
0003206198.tif 000008
【図７】
0003206198.tif 000009
【図８】
0003206198.tif 000010
【図９】
0003206198.tif 000011